(57)【要約】【課題】小型化が図れるサイドロック装置の提供。【解決手段】支持体に開閉体を開閉可能に取り付け、該開閉体側に左右一対のロックアーム５を移動可能に保持するハウジング１を設けて、該左右の各ロックアームの先端部を支持体側に形成されたロック孔に出没させるサイドロック装置であって、上記ハウジング内に左右の各ロックアームと係合してその出没を促す傾斜状のカム長孔１６を形成したスライダー２を支承し、該スライダーを開閉体の前面に沿って移動させると共に、スライダーを左右の各ロックアームが上記ロック孔側に突出する方向に弾発付勢して、スライダーを該弾発付勢力に抗して操作することで、左右の各ロックアームの先端部２５をロック孔から没することより、スライダーがハウジング内で開閉体の前面に沿って移動する関係で、サイドロック装置自体を小型化できる。【選択図】　　　　　図１
2004003227.tif 000002
【特許請求の範囲】
【請求項１】
支持体に開閉体を開閉可能に取り付け、該開閉体側に左右一対のロックアームを移動可能に保持するハウジングを設けて、該左右の各ロックアームの先端部を支持体側に形成されたロック孔に出没させるサイドロック装置であって、上記ハウジング内に左右の各ロックアームと係合してその出没を促す傾斜状のカム長孔を形成したスライダーを支承し、該スライダーを開閉体の前面に沿って移動させると共に、スライダーを左右の各ロックアームが上記ロック孔側に突出する方向に弾発付勢して、スライダーを該弾発付勢力に抗して操作することで、左右の各ロックアームの先端部をロック孔から没するように構成したことを特徴とするサイドロック装置。
【請求項２】
スライダーに形成される一対のカム長孔は、左右一対のロックアームが有するピンを係合するもので、ハの字状を呈し、その各外端はスライダーの側面に開口して、ハウジングにスライダーを組み付ける過程の位置では当該開口が開放され、ハウジングにスライダーを組み付けた位置では開口が閉塞されることを特徴とする請求項１記載のサイドロック装置。
【請求項３】
一対のカム長孔のハの字状の外端側には、スライダーの移動方向と平行する平行部があり、該平行部の縁は開口と対向していることを特徴とする請求項２記載のサイドロック装置。
【請求項４】
平行部の下端壁は、スライダーの移動方向と直交又はハの字状の傾きと逆向きに傾斜していることを特徴とする請求項３記載のサイドロック装置。
【請求項５】
スライダーの操作レバーは、ハウジング側に揺動可能に軸支される支点部と、操作レバー自体を揺動させる操作部と、スライダーを弾発付勢力に抗して移動させるスライダーの押爪部とを有し、該押爪部に当接するスライダーの当接部は上方に膨出していることを特徴とする請求項１記載のサイドロック装置。
【請求項６】
一対のカム長孔のハの字状の内端には、左右一対のロックアームが有するピンを嵌め込む折返部があることを特徴とする請求項２記載のサイドロック装置。
【請求項７】
折返部は、スライダーの移動方向に対して直交する部位を有することを特徴とする請求項６記載のサイドロック装置。
【発明の詳細な説明】
【０００１】
【発明の属する技術分野】
本発明は、例えば、自動車のインストルメントパネル側に開閉可能に取り付けられるグローブボックスそれ自体又はその独立したリッドをロックするサイドロック装置に関するものである。
【０００２】
【従来の技術】
従来のこの種サイドロック装置として、ＥＰ０８５０３４２Ｂ１公報やＷＯ９５／２７１１５公報に示すものが存する。
該従来のサイドロック装置は、基本的には、いずれも、回転方式を採用して、グローブボックスそれ自体又はその独立したリッドをインストルメントパネル側に開閉可能にロックせんとするものである。
【０００３】
【発明が解決しようとする課題】
この為、従来のサイドロック装置にあっては、回転中心から両側方に延びる左右一対のロックアームが必要となるので、シングルロックと比べると、上記各ロックアームを連結する回転体の大きさが２倍となるので、装置自体が自ずと大型化する嫌いがあった。
【０００４】
【課題を解決するための手段】
本発明は、斯かる従来のサイドロック装置が抱える課題を有効に解決するために開発されたもので、請求項１記載の発明は、支持体に開閉体を開閉可能に取り付け、該開閉体側に左右一対のロックアームを移動可能に保持するハウジングを設けて、該左右の各ロックアームの先端部を支持体側に形成されたロック孔に出没させるサイドロック装置であって、上記ハウジング内に左右の各ロックアームと係合してその出没を促す傾斜状のカム長孔を形成したスライダーを支承し、該スライダーを開閉体の前面に沿って移動させると共に、スライダーを左右の各ロックアームが上記ロック孔側に突出する方向に弾発付勢して、スライダーを該弾発付勢力に抗して操作することで、左右の各ロックアームの先端部をロック孔から没する構成を採用した。
【０００５】
請求項２記載の発明は、請求項１を前提として、スライダーに形成される一対のカム長孔は、左右一対のロックアームが有するピンを係合するもので、ハの字状を呈し、その各外端はスライダーの側面に開口して、ハウジングにスライダーを組み付ける過程の位置では当該開口が開放され、ハウジングにスライダーを組み付けた位置では開口が閉塞される構成を採用した。
【０００６】
請求項３記載の発明は、請求項２を前提として、一対のカム長孔のハの字状の外端側には、スライダーの移動方向と平行する平行部があり、該平行部の縁は開口と対向している構成を採用した。
【０００７】
請求項４記載の発明は、請求項３を前提として、平行部の下端壁は、スライダーの移動方向と直交又はハの字状の傾きと逆向きに傾斜している構成を採用した。
【０００８】
請求項５記載の発明は、請求項１を前提として、スライダーの操作レバーは、ハウジング側に揺動可能に軸支される支点部と、操作レバー自体を揺動させる操作部と、スライダーを弾発付勢力に抗して移動させるスライダーの押爪部とを有し、該押爪部に当接するスライダーの当接部は上方に膨出している構成を採用した。
【０００９】
請求項６記載の発明は、請求項２を前提として、一対のカム長孔のハの字状の内端には、左右一対のロックアームが有するピンを嵌め込む折返部がある構成を採用した。
【００１０】
請求項７記載の発明は、請求項６を前提として、折返部は、スライダーの移動方向に対して直交する部位を有する構成を採用した。
【００１１】
依って、請求項１記載の発明にあっては、スライダーをハウジング内で開閉体の前面に沿って移動させる関係で、従来の回転体を回転させる回転方式と比較すると、サイドロック装置を小型化できる。
【００１２】
請求項２記載の発明にあっては、一対のカム長孔の外端がスライダーの側面に開口して、ハウジングにスライダーを組み付ける過程の位置では開放され、ハウジングにスライダーを組み付けた位置では閉塞される関係で、スライダーをロックアームと一緒にハウジングに組み付ける作業が容易となると共に、一旦、組み付けた後は、如何なる状態にあっても、ロックアームが抜け外れることがない。
【００１３】
請求項３記載の発明にあっては、一対のカム長孔の外端側に平行部が存在する関係で、各カム長孔の開口からロックアームのピンを強く押し込んでも、ロックアームのピンは当該平行部に衝突して、スライダー側に留まるので、斯かる状態のまま、スライダーをハウジングに容易に組み付けることが可能となる。
【００１４】
請求項４記載の発明にあっては、平行部の下端壁がスライダーの移動方向と直行又はハの字状の傾きと逆向きに傾斜している関係で、例え、スライダーの規制ストッパー手段が破損した時でも、スライダーのハウジングからの飛び出しを防止できると共に、ロックアームも容易に外れてしまうことがない。
【００１５】
請求項５記載の発明にあっては、操作レバーの押爪部が当接するスライダーの当接部が上方に膨出している関係で、当該当接部の強度アップを図りながら、スライダーを弾発付勢力に抗して確実に移動させることが可能となる。
【００１６】
請求項６記載の発明にあっては、一対のカム長孔の内端側に折返部が存在する関係で、当該折返部にロックアームのピンを嵌め込むと、各ロックアームを引き込んだ状態に保持できるので、サイドロック装置自体の開閉体に対する組み付けが容易となると共に、その荷姿もコンパクトとなる。
【００１７】
請求項７記載の発明にあっては、折返部はスライダーの移動方向に対して直交する部位を有する関係で、ロックアームを常用範囲よりも更に引き込ませることが可能となるので、サイドロック装置自体の開閉体に対する組み付けが一層容易となると共に、その荷姿も一層コンパクトとなる。
【００１８】
【発明の実施の形態】
以下、本発明を図示する各好適な実施の形態に基づいて詳述すれば、第一実施の形態に係るサイドロック装置も、自動車のインストルメントパネルに開閉可能に取り付けられるグローブボックスそれ自体又はその独立したリッドを対象とするものであるが、特徴とするところは、以下の構成を採用した点にある。
【００１９】
第一実施の形態に係るサイドロック装置は、図１に示す如く、グローブボックスそれ自体又はその独立したリッド側に固定されるハウジング１と、該ハウジング１内に移動可能に支承されるスライダー２と、スライダー２をハウジング１内において上方に弾発付勢する２本の圧縮コイルばね３と、スライダー２を該圧縮コイルばね３の弾発付勢力に抗して下方に移動させる操作レバー４と、ハウジング１側に移動可能に保持されてインストルメントパネルのロック孔を出没する左右一対のロックアーム５とを備えるものである。
【００２０】
そして、ハウジング１は、図２・図３にも示す如く、上面側が開放されて内部にスライダー２を上下動可能に収納する基体６を有し、該基体６の前面両側に後述する操作レバー４の軸受部２３に嵌合する一対の軸部７を形成すると共に、前面中央部に操作レバー４の押爪部２４を挿入する窓部８を開設して、該窓部８の上縁側に操作レバー４の揺動ストッパー壁９を形成する構成となっている。
【００２１】
これに加えて、基体６の後面側の上部巾方向に左右一対のロックアーム５を移動可能に保持する一対の保持溝１０を形成すると共に、該各保持溝１０の開口上下縁にロックアーム５の移動を案内してガタを抑える弾性片１１を形成し、且つ、各保持溝１０の開口後方に存する壁面１２に後述するロックアーム５の凸部２９を係合する凹部１３を形成する構成となっているが、この凹部１３は、後述する勝手違いのロックアーム５との関係で、高さ方向の中心から位置をずらして形成されている。
【００２２】
スライダー２は、図４・図５にも示す如く、上記ハウジング１の基体６内部に収納できる大きさに成形され、その中央部に操作レバー４の押爪部２４を臨ましめる空部１４を形成すると共に、該空部１４の下部両側に上記ハウジング１側の窓部８内に入り込んでスライダー２自体の抜け外れを防止する一対のストッパー突起１５を形成し、且つ、両側部に後述するロックアーム５のピン２８を係合してその出没を促すハの字状に傾斜する一対のカム長孔１６を形成する構成となっている。又、上記操作レバー４の押爪部２４が当接する空部１４の底面縁は、図示する如く、強度アップを図りながら確実な押圧操作を得る関係で、上方に膨出している。
【００２３】
更に、上記ハの字状を呈する一対のカム長孔１６は、その各外端側がスライダー２の側面に開口１８して、ハウジング１の基体６にスライダー２を組み付ける過程の位置では当該開口１８が開放され、ハウジング１にスライダー２を組み付けた位置では開口１８が閉塞される構成となっており、又、カム長孔１６の外端側にはスライダー２の移動方向と平行する平行部１９を形成して、該平行部１９の縁を開口１８と対向させると共に、平行部１９の下端壁２０は、ロックアーム５の抜け外れを防止するために、スライダー２の移動方向と直交又はハの字状の逆向きに傾斜する構成となっている。尚、上記開口１８の縁には、ロックアーム５のピン２８の差し込みを容易とする面取り２１が施されている。又、図中、２２はガタ防止部である。
【００２４】
操作レバー４は、図６にも示す如く、平板状に成形されて、その両側に上記ハウジング１の軸部７を嵌合する軸受部２３を形成し、該軸受部２３に軸部７を嵌合することにより、そこを支点部として、操作レバー４がハウジング１側に揺動可能に軸支されると共に、背面側に上記スライダー２の空部１４内に臨んでその底部膨出部１７を押圧する押爪部２４を形成して、操作レバー４を揺動操作することにより、押爪部２４でスライダー２を圧縮コイルばね３の付勢力に抗して下方に移動させ得る構成となっている。
【００２５】
左右一対のロックアーム５は、勝手違いに成形されるものであるが、基本的には、図７にも示す如く、インストルメントパネル側に形成されたロック孔を出没する先端部２５と、ハウジング１の保持溝１０に保持される後端部２６とを有し、特に、該後端部２６の対向する両側に対しては、保持溝１０の上下縁を係合するスライド溝２７を形成すると共に、その前面側に上記ハの字状を呈する各カム長孔１６と係合するピン２８を突設し、且つ、後面側に保持溝１０の後方に存する壁面１２に形成された凹部１３に係合する凸部２９を勝手違いに位置をずらして形成して、各側で、先端部２５を後端部２６に対して所定の角度をもって傾ける構成となっている。従って、凹部１３に係合する凸部２９が高さ方向の中心から位置をずらしているので、左右一対のロックアーム５は、その誤組み付けが有効に防止できる。
【００２６】
依って、斯かるサイドロック装置を組み付ける場合には、ハウジング１の基体６の底面に形成された受け部に２本の圧縮コイルばね３を装着する状態を得て、スライダー２の下端部側を基体６の内部に若干差し込むと、保持溝１０とカム長孔１６の外端開口１８とが一致するので、この状態を維持して、勝手違いの左右一対のロックアーム５を対応する保持溝１０内に押し込んで、図８に示す如く、各ロックアーム５のピン２８をカム長孔１６の平行部１９に衝突させた後、そのまま、スライダー２を基体６の内部に完全に差し込むと、図９に示す如く、スライダー２側のストッパー突起１５が基体６の窓部８内に入り込んで、該窓部８の上縁に当接するので、これにより、スライダー２が抜け外れることなくハウジング１側に移動可能に支承されることとなる。
【００２７】
尚、この場合に、スライダー２をハウジング１の基体６内に若干差し込んだ状態では、各カム長孔１６の外端開口１８が開放されているので、ロックアーム５のピン２８のカム長孔１６に対する押し込みが許容されて、当該ピン２８がカム長孔１６の平行部１９に衝突するまで押し込めるので、組み付けが容易となると共に、一旦、組み付けた後は、どこの位置にあっても、外端開口１８がハウジング１によって閉塞されることとなるので、勝手違いの左右一対のロックアーム５が保持溝１０から外れることが決してない。
【００２８】
しかも、本実施の形態にあっては、スライダー２をハウジング１の基体６内で上下方向に移動させる構成を採用している関係で、スライダー２は、グローブボックスの前面やリッドの前面に沿って移動することとなるので、サイドロック装置自体の小型化が十分に可能となる。
【００２９】
従って、後は、ハウジング１の軸部７を操作レバー４の軸受部２３に嵌合すれば、図１０に示す如く、操作レバー４がハウジング１に対して揺動可能に軸支されることとなるが、この場合には、操作レバー４の押爪部２４が窓部８からスライダー２の空部１４内に臨み、且つ、左右一対のロックアーム５のピン２８が傾斜状の各カム長孔１６の外端側に位置することとなるので、ロックアーム５は側方に伸長した状態に置かれることとなる。
【００３０】
そこで、最後に、各ロックアーム５の先端部２５をグローブボックスの側面又はリッドの側面に形成されている通孔（図示せず）に通しながら、ハウジング１をグローブボックスの前面側又は独立したリッド側に固定すれば、実際の使用に供せられることとなるが、操作レバー４を揺動操作させない状態にあっては、図１１に示す如く、左右一対のロックアーム５は伸長して、インストルメントパネルＰのロック孔Ｈ内に係入しているので、これにより、グローブボックス自体又は独立したリッドが閉塞状態にロックされることとなる。
【００３１】
又、斯かるロック状態を解除する場合には、今度は、操作レバー４の操作部４ａを把持して、操作レバー４を引き上げると、操作レバー４の押爪部２４がスライダー２の空部１４の膨出部１７を下方に押圧して、スライダー２をその圧縮コイルばね３の付勢ばね圧に抗して下方に移動させるので、これに応じて、ハの字状を呈するカム長孔１６の作用で、左右一対のロックアーム５のピン２８がカム長孔１６の内端側に移動するので、図１２に示す如く、各ロックアーム５の先端部２５がインストルメントパネルＰのロック孔Ｈから没して、グローブボックス自体又は独立したリッドが開放方向へ移動することが許容されることとなる。
【００３２】
次に、第二実施の形態に係るサイドロック装置を説明すると、該第二実施の形態のものも、基本的には、上記第一実施の形態をそのまま前提とするものであるが、異なるところは、図１３に示す如く、ハの字状を呈する一対のカム長孔１６の内端側にスライダー２の移動方向と平行する折返部２９を形成して、該折返部２９に各ロックアーム５のピン２８を嵌め込むことにより、ロックアーム５をその引き込み状態に維持できる構成となしたものである。
【００３３】
依って、この第二実施の形態の下では、操作レバー４の常用範囲でのロックアーム５の引き込み状態を維持できるので、グローブボックス自体又はその独立したリッド側に組み付けることが容易となると共に、その荷姿もコンパクトにできる。又、このロックアーム５の引き込み状態を解除する場合には、操作レバー４を若干引き上げて、作業者がロックアーム５を外側に引っ張り出せば良い。但し、ロックアーム５間にばねを配置すれば、操作レバー４を引き上げるだけで、ばねの付勢力により、ロックアーム５が自動的に引き出される。
【００３４】
尚、この場合には、図１４に示す如く、折返部２９に対して、スライダー２の移動方向に対して直交する部位２９ａを付与すれば、操作レバー４の常用範囲よりも更にロックアーム５をハウジング１側に引き込むことが可能となるので、グローブボックス自体又その独立したリッド側に組み付けることが一層容易となると共に、その荷姿も一層小さくできる。
【００３５】
【発明の効果】
以上の如く、本発明は、上記構成の採用により、スライダーをハウジング内で開閉体の前面に沿って移動させる関係で、従来の回転体を回転させる回転方式と比較すると、サイドロック装置自体を小型化できる。
【図面の簡単な説明】
【図１】本発明の第一実施の形態に係るサイドロック装置を分解して示す斜視図である。
【図２】（Ａ）はハウジングの正面図、（Ｂ）はハウジングの側面図である。
【図３】（Ａ）は図２ＡのＡ−Ａ線断面図、（Ｂ）は図２ＡのＢ−Ｂ線断面図である。
【図４】（Ａ）はスライダーの正面図、（Ｂ）はスライダーの背面図である。
【図５】（Ａ）はスライダーの側面図、（Ｂ）は図４ＡのＣ−Ｃ線断面図である。
【図６】（Ａ）は操作レバーの背面図、（Ｂ）は図６ＡのＤ−Ｄ線断面図である。
【図７】（Ａ）はロックアームの平面図、（Ｂ）は図７ＡのＥ−Ｅ線断面図、（Ｃ）は図７ＡのＦ−Ｆ線断面図である。
【図８】ロックアームのピンをカム長孔の外端開口に差し込んだ状態を一部切欠して示す正面図である。
【図９】ロックアームと一緒にスライダーをハウジング内に組み付けた状態を示す正面図である。
【図１０】操作レバーをハウジング側に軸支した完全な組み付け状態を示す斜視図である。
【図１１】（Ａ）はロックアームの先端部がインストルメントパネルのロック孔に係入した状態を一部切欠して示す正面図、（Ｂ）は同中央断面図である。
【図１２】（Ａ）はロックアームの先端部がインストルメントパネルのロック孔から没した状態を一部切欠して示す正面図、（Ｂ）は同中央断面図である。
【図１３】第二実施の形態に係るサイドロック装置に供されるスライダーの正面図である。
【図１４】第二実施の形態に係るサイドロック装置に供されるスライダーの変形例を示す正面図である。
【符号の説明】
１　　　ハウジング
２　　　スライダー
３　　　圧縮コイルばね
４　　　操作レバー
４ａ　　操作部
５　　　ロックアーム
６　　　基体
７　　　軸部
８　　　窓部
９　　　揺動ストッパー壁
１０　　保持溝
１１　　弾性片
１２　　壁面
１３　　凹部
１４　　空部
１５　　ストッパー突起
１６　　カム長孔
１７　　膨出部
１８　　開口
１９　　平行部
２０　　下端壁
２１　　面取り
２２　　ガタ防止部
２３　　軸受部
２４　　押爪部
２５　　先端部
２６　　後端部
２７　　スライド溝
２８　　ピン
２９　　折返部
２９ａ　折返部の直交部位
Ｐ　　　インストルメントパネル（支持体）
Ｈ　　　ロック孔
【図１】
2004003227.tif 000003
【図２】
2004003227.tif 000004
【図３】
2004003227.tif 000005
【図４】
2004003227.tif 000006
【図５】
2004003227.tif 000007
【図６】
2004003227.tif 000008
【図７】
2004003227.tif 000009
【図８】
2004003227.tif 000010
【図９】
2004003227.tif 000011
【図１０】
2004003227.tif 000012
【図１１】
2004003227.tif 000013
【図１２】
2004003227.tif 000014
【図１３】
2004003227.tif 000015
【図１４】
2004003227.tif 000016